(57)【特許請求の範囲】
【請求項１】
密閉構造に構成され、少なくともエンジン駆動部及び燃料タンクを収容する連続空間を内部に有する船殻の該連続空間の上面に貨物積載用デッキと船首以外の位置に配置された操舵室とが備えられた貨物運搬用の船舶であって、該操舵室と該連続空間とを開閉可能な乗務員通行用出入口を介して連結させ、さらに船首側のデッキにも上記連続空間への出入を可能にする開閉可能な乗務員通行用出入口を設けることによって、上記連続空間を通っての両乗務員通行用出入口の間での通行そして前者の乗務員通行用出入口を通っての操舵室とエンジン駆動部との間の通行がそれぞれ可能なようにされていることを特徴とする船舶。
【請求項２】
密閉構造に構成され、少なくともエンジン駆動部及び燃料タンクを収容する連続空間を内部に有する船殻の該連続空間の上面に貨物積載用デッキと船首に配置された操舵室とが備えられた貨物運搬用の船舶であって、該操舵室と該連続空間とを開閉可能な乗務員通行用出入口を介して連結させることにより、該乗務員通行用出入口を通っての操舵室とエンジン駆動部との間の通行が可能なようにされていることを特徴とする船舶。
【請求項３】
上記連続空間に居住室が設けられている請求項１もしくは２に記載の船舶。
【発明の詳細な説明】
【技術分野】
【０００１】
本発明は、貨物をそのまま、あるいはコンテナに収容した状態で運搬するのに適した貨物運搬用の船舶に関する。
【背景技術】
【０００２】
現在では、貨物の輸送はトラックによる陸上輸送が主流である。トラックによる陸上輸送は、輸送可能な地域が広く、機動性が高いという利点がある。しかし、近年の環境問題に対する意識の高まり、特に二酸化炭素ガスの排出削減の意識の高まりから、一括大量輸送が可能で、エネルギー効率の高い貨物の輸送方法として、コンテナ船などの貨物運搬船による海上輸送が注目されている。
【０００３】
コンテナ船としては、船殻内に船倉部を設けて、船倉部とデッキ上面とにコンテナを積載するコンテナ船が広く利用されている。この船倉部を有するコンテナ船は、コンテナの積載能力は高いものの、満載喫水線が深いため、水深の浅い港湾施設には接岸させるのが難しいという問題がある。
【０００４】
満載喫水線の浅いコンテナ船として、特許文献１には、船殻内に船倉部を設けずに、コンテナをデッキ上面のみに積載することによって、船本体の深さを小さくしたコンテナ船が開示されている。なお、この特許文献１において、船倉部を有しないコンテナ船の例として図示されている船舶では、船舶の左右両舷のデッキの上面に、復原性能を改善するための水密トランクと、その水密トランクに閉囲された通路とが設けられている。
【特許文献１】特開２００７−５０８１４号公報
【発明の開示】
【発明が解決しようとする課題】
【０００５】
前記特許文献１に開示されているような船殻内に船倉部を有しない、すなわち船殻が密閉構造となっていて、デッキ上面にのみにコンテナを積載するように構成されているコンテナ船は、船倉部を有するコンテナ船と比べて、満載喫水線が浅いため、水深の浅い港湾施設であっても容易に接岸させることが可能であり、コンテナの輸送可能な港湾施設が多いという利点がある。但し、操舵室から船舶の運航に重要なエンジン駆動部や燃料タンクに移動する際に、デッキ上面の通路を利用しなければならないとすると、エンジン駆動部や燃料タンクに異常が発生して緊急な措置が必要となった場合にそれらのエンジン駆動部や燃料タンクへのアクセスに手間取るおそれがある。また、デッキ上面に通路を設けることは、その分だけデッキ上面にコンテナを積載するためのスペースが狭くなるので好ましくはない。
従って、本発明の目的は、船殻が密閉構造となっていて、デッキ上面にのみにコンテナなどの貨物を積載するように構成されている貨物運搬用の船舶であって、操舵室からエンジン駆動部や燃料タンクへのアクセスが容易で、かつデッキ上面に通路を特には必要としない船舶を提供することにある。
【課題を解決するための手段】
【０００６】
本発明は、船殻上面に操舵室と貨物積載用デッキとを備えた貨物運搬用の船舶であって、船殻が開閉可能な出入口を備えた密閉構造となるように構成されており、そして船殻内に、少なくともエンジン駆動部及び燃料タンクを収容する空間部が設けられていて、操舵室と空間部とが上記の開閉可能な出入口を介して連結していることを特徴とする船舶にある。
【０００７】
本発明の貨物運搬用船舶の好ましい態様は、次の通りである。
（１）貨物積載用デッキがコンテナ積載用デッキである。
（２）操舵室が船尾に備えられ、一方、デッキの船首には開閉可能な出入口が設けられていて、この開閉可能な出入口と操舵室と空間部とを連結している開閉可能な出入口とが空間部を介して通行可能にされている。
（３）操舵室が船首に備えられていて、操舵室と空間部とを連結している開閉可能な出入口とエンジン駆動部とが空間部を介して通行可能とされている。
（４）貨物積載用デッキに貨物運搬用クレーンが搭載されている。
（５）燃料タンクが空間部の左舷側及び右舷側の両側の対向する位置のそれぞれに設けられている。
（６）燃料タンクが、空間部の左舷側及び右舷側の一方に設けられていて、その燃料タンクが設けられている位置と対向する位置にバラストタンクが設けられている。
（７）空間部の左舷側及び右舷側の両側の対向する位置のそれぞれにバラストタンクが設けられている。
【発明の効果】
【０００８】
本発明の貨物運搬用船舶では、操舵室とエンジン駆動部及び燃料タンクが収容された船殻内の空間部とが開閉可能な出入口を介して連結しているので、船殻外に出ることなく操舵室とエンジン駆動部及び燃料タンクとの間を移動することができる。すなわち、本発明の貨物運搬用船舶では、操舵室からエンジン駆動部や燃料タンクへのアクセスが容易で、かつコンテナ積載スペースを狭くする要因の一つとなる通路をデッキ上面に設けることを特には必要とはしない。また、荒天時における乗務員の船舶中の安全な移動が可能となる。
【発明を実施するための最良の形態】
【０００９】
本発明の貨物運搬用船舶を、添付図面を参照しながら説明する。
【００１０】
図１は、本発明に従う貨物運搬用船舶の一例の外観図であって、（ａ）は側面図であり、（ｂ）は平面図である。図２は、図１の部分線断面図であって、（ａ）は図１（ｂ）中のＩ−Ｉ線断面図であり、（ｂ）は図１（ａ）中のII−II線断面図であり、（ｃ）は図１（ｂ）中のIII−III線断面図である。
【００１１】
図１及び図２に示すように、本発明の貨物運搬用船舶は、船殻１１の上面に操舵室１２と貨物積載用デッキ１３とを備えている。船殻１１は、密閉構造となるように構成されている。船殻１１の内部には、船倉部は設けられておらず、エンジン駆動部２２及び燃料タンク２３を収容する空間部２１のみが設けられている。操舵室１２は、その内に設けられた開閉可能な出入口１４を介して空間部２１に連結しており、梯子２９を使用して空間部２１内を昇降できるようになっている。貨物積載用デッキ１３の上には、コンテナ１６が積載されている。但し、本発明の貨物運搬用船舶において、貨物積載用デッキ１３の上に積載する貨物に特には制限はない。例えば、コンテナに収容されていない、橋梁ブロックなどの大型構造物を積載してもよい。
【００１２】
図１及び図２に示す貨物運搬用船舶では、さらにデッキ１３の船首に開閉可能な船首出入口１５が設けられている。船首出入口１５からは梯子２９ａを使用して空間部２１内に昇降できるようになっている。すなわち、船首出入口１５と操舵室内の出入口１４とは、空間部２１を介して通行可能となっている。船首出入口１５を設けることによって、貨物運搬用船舶を接岸させる際など、船殻外に出ずに、操舵室から船首にまで空間部２１を通って移動することができる。
【００１３】
船殻内の空間部２１の左右両舷の両側には、燃料タンク２３及びバラストタンク２４を対向する位置のそれぞれに設けることが好ましい。図２においては、（ｂ）に示すように、燃料タンク２３を左舷船尾に設けて、対向する右舷船尾にはバラストタンク２４を設けている。ここで、燃料タンク２３及びバラストタンク２４の配置位置は、一例を示したに過ぎず、燃料タンク及びバラストタンクがそれぞれ左舷側及び右舷側の両側に対向する位置関係で配置されていれば、これらの配置位置に特には制限はない。例えば燃料タンクを左舷側及び右舷側の両側の対向する位置のそれぞれに設けてもよいし、燃料タンクを右舷側に設けて、バラストタンクを左舷側に設けてもよい。また、燃料タンクを中央に設けて、バラストタンクを左右両舷の両側の対向する位置のそれぞれに設けてもよい。
【００１４】
エンジン駆動部２２は、図２に示す例では、左右中央の船尾側に配置されているが、エンジン駆動部の配置場所に特には制限はない。
【００１５】
船殻内の空間部２１には、船殻の強度を向上させるため、補強板を設けることが好ましい。図２においては、（ｂ）及び（ｃ）に示すように、燃料タンク２３及びバラストタンク２４の空間部２１側の面に、船舶の長手方向に沿って配置された空間部の床と天井とをつなぐ長手方向補強用綱板２５、そして燃料タンク２３とバラストタンク２４及びバラストタンク２４とバラストタンク２４との間に配置された船殻内壁と長手方向補強用綱板２５とをつなぐ横手方向補強用綱板２６を設けている。
【００１６】
空間部２１は、図２（ａ）及び（ｂ）に示すように、通行可能な間仕切り２７を設けて幾つかの部屋に仕切って、その区切られた一つの空間を居住室２８として利用することが好ましい。また、空間部２１には、乗務員の日常生活に必要な飲料や食料を貯蔵しておくことが好ましい。
【００１７】
空間部２１には、船舶の復原性能を向上させるため、船舶の前後方向及び左右方向の傾斜をそれぞれ検出し、その検出された傾斜の度合いに応じてバラストタンク２４内に海水を注水あるいは排水して、バラストタンク２４内の海水の量を調整することによって、船舶の傾斜を減少させる傾斜調整装置（図示せず）が設けられていることが好ましい。
【００１８】
図１及び図２に示した本発明の貨物運搬用船舶においては、操舵室が船尾に備えられている例を示したが、操舵室の設置場所には特に制限はなく、操舵室を船首に設けることも可能である。操舵室が船首に備えられている本発明に従う貨物運搬用船舶の一例を、添付図面の図３と図４に示す。図３は、貨物運搬用船舶の外観図であって、（ａ）は側面図であり、（ｂ）は平面図である。図４は、図３の部分線断面図であって、（ａ）は図３（ｂ）中のIV−IV線断面図であり、（ｂ）は図３（ａ）中のＶ−Ｖ線断面図であり、（ｃ）は図３（ｂ）中のVI−VI線断面図である。
【００１９】
図３及び図４に示す貨物運搬用船舶においては、船首に操舵室３２が設けられていること、貨物積載用デッキ３３にコンテナ運搬用クレーン３５が搭載されていて、船殻内の空間部４１にクレーン用支柱４２が設けられていること以外は、図１及び図２に示した貨物運搬用船舶と同一の構成であるので、同一部分には、同一符号を付して説明は省略する。
【００２０】
図３及び図４に示す貨物運搬用船舶は、操舵室３２が船首に備えられていて、操舵室３２と空間部４１とを連結している開閉可能な出入口３４とエンジン駆動部２２とが空間部を介して通行可能とされている。操舵室を船首に設けることによって、デッキ部に操舵室の高さを超える高さにコンテナを積載することが可能となる。また、操舵室の出入口とエンジン駆動部とが空間部を介して通行可能とされていることによって、運航中に、エンジン駆動部２２に異常が起きた場合でも、船殻外に出ることなく、空間部４１を通って迅速にエンジン駆動部にまで移動することができる。
【００２１】
さらに、図３及び図４に示す貨物運搬用船舶は、デッキにコンテナ運搬用クレーン３５を搭載しているので、ガントリークレーンなどのコンテナ運搬用クレーンを有しない小規模の港湾施設においても、コンテナの荷積みや荷卸しを容易に行なうことが可能となる。
【図面の簡単な説明】
【００２２】
【図１】本発明に従う貨物運搬用船舶の一例の外観図であって、（ａ）は側面図であり、（ｂ）は平面図である。
【図２】図１の部分線断面図であって、（ａ）は図１（ｂ）中のＩ−Ｉ線断面図であり、（ｂ）は図１（ａ）中のII−II線断面図であり、（ｃ）は図１（ｂ）中のIII−III線断面図である。
【図３】本発明に従う貨物運搬用船舶の別の一例の外観図であって、（ａ）は側面図であり、（ｂ）は平面図である。
【図４】図３の部分線断面図であって、（ａ）は図３（ｂ）中のIV−IV線断面図であり、（ｂ）は図３（ａ）中のＶ−Ｖ線断面図であり、（ｃ）は図３（ｂ）中のVI−VI線断面図である。
【符号の説明】
【００２３】
１１  船殻
１２  操舵室
１３  貨物積載用デッキ
１４  出入口
１５  船首出入口
１６  コンテナ
２１  空間部
２２  エンジン駆動部
２３  燃料タンク
２４  バラストタンク
２５  長手方向補強用綱板
２６  横手方向補強用綱板
２７  間仕切り
２８  居住室
２９、２９ａ  梯子
３１  船殻
３２  操舵室
３３  貨物積載用デッキ
３４  出入口
３５  コンテナ運搬用クレーン
４１  空間部
４２  クレーン用支柱
【図１】
0005671197.tif 000002
【図２】
0005671197.tif 000003
【図３】
0005671197.tif 000004
【図４】
0005671197.tif 000005